(57)【要約】【課題】本発明はウインチを用いて幹線ケーブルを吊り上げた状態で固定フックに吊り下げ用リングを係止させることができ、効率よく幹線ケーブルの配線作業を行なうことができるケーブルグリップを得るにある。【解決手段】幹線ケーブルの上部を覆うように取付けることができるように、ワイヤーロープで筒状となるように編まれたワイヤーネットと、このワイヤーネットの上部に設けられた吊り下げ用リングと、前記ワイヤーネットの上部に前記吊り下げ用リングよりも上部に位置するように設けられた第２の吊り下げ用リングとでケーブルグリップを構成している。【選択図】　図１
2004135420.tif 000002
【特許請求の範囲】
【請求項１】
幹線ケーブルの上部を覆うように取付けることができるように、ワイヤーロープで筒状となるように編まれたワイヤーネットと、このワイヤーネットの上部に設けられた吊り下げ用リングと、前記ワイヤーネットの上部に前記吊り下げ用リングよりも上部に位置するように設けられた第２の吊り下げ用リングとからなることを特徴とするケーブルグリップ。
【請求項２】
幹線ケーブルの上部を覆うように取付けることができるように、複数本のワイヤーロープで筒状となるように編まれたワイヤーネットと、このワイヤーネットを構成する一部のワイヤーロープを上部に突出させて設けた吊り下げ用リングと、前記ワイヤーネットを構成する他の一端のワイヤーロープを前記吊り下げ用リングよりも上方に位置するように突出させて設けた第２の吊り下げ用リングとからなることを特徴とするケーブルグリップ。
【請求項３】
幹線ケーブルの上部を覆うように取付けることができるように、ワイヤーロープで筒状となるように編まれたワイヤーネットと、このワイヤーネットの上部に固定された吊り下げ用リングと、前記ワイヤーネットの上部に前記吊り下げ用リングよりも上部に位置するように固定された第２の吊り下げ用リングとからなることを特徴とするケーブルグリップ。
【発明の詳細な説明】
【０００１】
【発明の属する技術分野】
本発明はビル等の建物に配線される幹線ケーブルの上部に取付けられるケーブルグリップに関する。
【０００２】
【従来の技術】
従来のケーブルグリップはワイヤーロープで筒状となるように編まれたワイヤーネットと、このワイヤーネットの上部に設けられた吊り下げ用リングとで構成されている。
【０００３】
【発明が解決しようとする課題】
従来のケーブルグリップは幹線ケーブルの上部にワイヤーネットを取付け、建物の最上部階に設置したウインチの巻取ワイヤーの先端部に取付けられたフックを吊り下げ用リングに係止させ、最上階へ幹線ケーブルの吊り上げ上部を位置させた後、吊り下げ用リングを最上階の上部の躯体に固定された固定フックに係止される。
しかし、ウインチの巻取ワイヤーの先端部に取付けられたフックに係止している幹線ケーブルの上部に取付けられたケーブルグリップの吊り下げ用リングをフックから外し、躯体に固定された固定フックへ係止させるためには、吊り上げられた幹線ケーブルの上部を固定フックに吊り下げ用リングが係止される部位で固定した後、ウインチのフックより外し、吊り下げ用リングを固定フックに係止させた後、幹線ケーブルの上部を固定した部分をゆるめ、固定フックと吊り下げ用リングとの遊びがなくなるように自重で降下させた後、幹線ケーブルを再固定しなければならないという面倒な作業が必要になるという欠点があった。
【０００４】
本発明は以上のような従来の欠点に鑑み、ウインチを用いて幹線ケーブルを吊り上げた状態で固定フックに吊り下げ用リングを係止させることができ、効率よく幹線ケーブルの配線作業を行なうことができるケーブルグリップを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は幹線ケーブルの上部を覆うように取付けることができるように、ワイヤーロープで筒状となるように編まれたワイヤーネットと、このワイヤーネットの上部に設けられた吊り下げ用リングと、前記ワイヤーネットの上部に前記吊り下げ用リングよりも上部に位置するように設けられた第２の吊り下げ用リングとでケーブルグリップを構成している。
【０００７】
【発明の実施の形態】
以下、図面に示す実施の形態により、本発明を詳細に説明する。
【０００８】
図１ないし図６に示す本発明の第１の実施の形態において、１はビル等の建物２の幹線ケーブル３を配線する場合に使用される本発明のケーブルグリップで、このケーブルグリップ１は複数本、本発明の実施の形態では６本のワイヤーロープ４のほぼ中央部より先端部側が開口端部の筒状となるように編まれたワイヤーネット５と、このワイヤーネット５の上部に設けられた吊り下げ用リング６と、前記ワイヤーネット５の上部に、前記吊り下げ用リング６よりも上部に位置するように設けられた第２の吊り下げ用リング７とで構成されている。
【０００９】
前記吊り下げ用リング６は前記ワイヤーネット５の上部に３本のワイヤーロープ４、４、４を突出させ、該突出部を一体化する熱収縮チューブ８と、この熱収縮チューブ８の内側部分に取付けられる金属材製のリング９と、このリング９の脱落を防止するように、前記突出部の根元部分に固定されたクランプ１０とで構成されている。
【００１０】
前記吊り下げ用リング７は前記ワイヤーネット５の上部に他の３本のワイヤーロープ４、４、４を前記３本のワイヤーロープ４、４、４よりも長く突出させ、該突出部の先端部を一体化する熱収縮チューブ８と、この熱収縮チューブ８の内側部分に取付けられる金属材製のリング９と、このリング９の脱落を防止するように、前記突出部のリングが形成される部位の根元部分に固定されたクランプ１０とで構成されている。
【００１１】
上記構成のケーブルグリップ１は幹線ケーブル３の上端部をワイヤーネット５内へ挿入し、該ワイヤーネット５の下端部寄りの部位を固定具１１によって幹線ケーブル３に固定する。
この状態で、設置するビル等の建物２の下部階へ位置させる。
最上階に設置されたウインチ１２の巻き取りワイヤー１３を各階の貫通孔１４を通過させて下部階へ位置させ、巻き取りワイヤー１３の先端部に取付けられたフック１５をケーブルグリップ１の第２の吊り下げ用リング７に係止させ、ウインチ１２で幹線ケーブル３を最上階まで吊り上げ、吊り下げ用リング６を最上階の躯体１６に固定された固定フック１７に係止させた後、ウインチ１２を少し巻き戻し、第２の吊り下げ用リング７より巻き取りワイヤー１３のフック１５を取り外すだけで、幹線ケーブル３の吊り下げ作業が完了する。
【００１２】
なお、本発明の実施の形態の使用説明ではウインチ１２の巻き取りワイヤー１３のフック１５に、第２の吊り下げ用リング７を係止させて幹線ケーブル３を吊り上げるものについて説明したが、本発明はこれに限らず、ウインチ１２や巻き取りワイヤー１３等の取付け状態によっては、短い方の吊り下げ用リング６に巻き取りワイヤー１３のフック１５を係止させて幹線ケーブル３を吊り上げ、第２の吊り下げ用リング７を固定フック１７に係止させて吊り下げてもよい。
【００１３】
【発明の異なる実施の形態】
次に、図７ないし図１３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図７ないし図９に示す本発明の第２の実施の形態において、前記本発明の第１の実施の形態と主に異なる点は、２本のワイヤーロープ４、４を用いて吊り下げ用リング６Ａを構成するとともに、４本のワイヤーロープ４、４、４、４を用いて第２の吊り下げ用リング７Ａを構成した点で、このように構成したケーブルグリップ１Ａにしても、前記本発明の第１の実施の形態と同様な作用効果が得られる。
【００１５】
図１０ないし図１３に示す本発明の第３の実施の形態において、前記本発明の第１の実施の形態と主に異なる点は、ワイヤーネット５の上部に従来と同様に吊り下げ用リング６を形成するとともに、リング状のワイヤー１８を用いた第２の吊り下げ用リング７Ｂをワイヤーネット５の上部にリング状のワイヤー１８部分を挿入して取付けた点で、このように構成したケーブルグリップ１Ｂにしても、前記本発明の第１の実施の形態と同様な作用効果が得られるとともに、従来のケーブルグリップを用いて、容易に本発明を施すことができる。
【００１６】
【発明の効果】
以上の説明から明らかなように、本発明にあっては次に列挙する効果が得られる。
【００１７】
（１）幹線ケーブルの上部を覆うように取付けることができるように、ワイヤーロープで筒状となるように編まれたワイヤーネットと、このワイヤーネットの上部に設けられた吊り下げ用リングと、前記ワイヤーネットの上部に前記吊り下げ用リングよりも上部に位置するように設けられた第２の吊り下げ用リングとで構成されているので、幹線ケーブルをウインチの巻き取りワイヤーの先端部に取付けられたフックに第２の吊り下げ用リング、あるいは吊り下げ用リングに係止させて吊り上げ、最上部階の躯体に固定された固定フックに吊り下げ用リングあるいは第２の吊り下げ用リングをウインチで吊り上げた状態で係止することができる。
したがって、従来のように吊り上げた幹線ケーブルの上部寄りの部位を固定した後、ウインチのフックを外して固定フックに差し替えて吊り下げるという面倒な作業が不要で、容易に、楽に幹線ケーブルの吊り下げ作業を行なうことができる。
【００１８】
（２）前記（１）によって、構造が簡単であるので、容易に製造することができる。
【００１９】
（３）前記（１）によって、幹線ケーブルの上端部の上部階への吊り上げ作業は従来と同様に行なうことができる。
【００２０】
（４）請求項２、３も前記（１）〜（３）と同様な作用効果が得られる。
【図面の簡単な説明】
【図１】本発明の第１の実施の形態の正面図。
【図２】本発明の第１の実施の形態の側面図。
【図３】本発明の第１の実施の形態の要部拡大図。
【図４】本発明の第１の実施の形態の幹線ケーブルに取付け状態の説明図。
【図５】本発明の第１の実施の形態の吊り上げた状態の説明図。
【図６】本発明の第１の実施の形態の固定フックへの取付け状態の説明図。
【図７】本発明の第２の実施の形態の正面図。
【図８】本発明の第２の実施の形態の側面図。
【図９】本発明の第２の実施の形態の要部拡大図。
【図１０】本発明の第３の実施の形態の正面図。
【図１１】本発明の第３の実施の形態の側面図。
【図１２】本発明の第３の実施の形態の要部拡大図。
【図１３】本発明の第３の実施の形態の第２の吊り下げ用リングの説明図。
【符号の説明】
１、１Ａ、１Ｂ：ケーブルグリップ、
２：ビル等の建物、　　　３：幹線ケーブル、
４：ワイヤーロープ、　　５：ワイヤーネット、
６、６Ａ：吊り下げ用リング、
７、７Ａ、７Ｂ：第２の吊り下げ用リング、
８：熱収縮チューブ、　　９：リング、
１０：クランプ、　　　　１１：固定具、
１２：ウインチ、　　　　１３：巻き取りワイヤー、
１４：貫通孔、　　　　　１５：フック、
１６：躯体、　　　　　　１７：固定フック、
１８：リング状のワイヤー。
【図１】
2004135420.tif 000003
【図２】
2004135420.tif 000004
【図３】
2004135420.tif 000005
【図４】
2004135420.tif 000006
【図５】
2004135420.tif 000007
【図６】
2004135420.tif 000008
【図７】
2004135420.tif 000009
【図８】
2004135420.tif 000010
【図９】
2004135420.tif 000011
【図１０】
2004135420.tif 000012
【図１１】
2004135420.tif 000013
【図１２】
2004135420.tif 000014
【図１３】
2004135420.tif 000015